(57)【要約】【課題】本体の操作を阻害することなく本体の握りやすさを高めることが可能な把持部材、およびこの把持部材を備えた撮像装置を提供する。【解決手段】本体への取付部と、前記本体に対して変位可能な延長部と、前記取付部と前記延長部とを繋ぐ連結部とを備えた把持部材。【選択図】図４
2014052600.tif 000002
【特許請求の範囲】
【請求項１】
本体への取付部と、
前記本体に対して変位可能な延長部と、
前記取付部と前記延長部とを繋ぐ連結部と
を備えた把持部材。
【請求項２】
前記延長部は、前記連結部を軸として回動可能である
請求項１記載の把持部材。
【請求項３】
前記連結部は、前記取付部の辺の一端から前記取付部に対して交差する方向に伸設され、
前記延長部は、前記取付部の辺に重なる第１位置と、前記取付部の辺の延長線に重なる第２位置との間で、前記連結部を軸として回動可能である
請求項２記載の把持部材。
【請求項４】
前記取付部は、前記本体の上面に取り付けられる
請求項１記載の把持部材。
【請求項５】
前記取付部は、前記本体に着脱可能に取り付けられる
請求項４記載の把持部材。
【請求項６】
前記本体は、上面にアクセサリーシューを有し、
前記取付部は、前記アクセサリーシューに差し込まれることにより前記本体の上面に取り付けられる
請求項４記載の把持部材。
【請求項７】
前記連結部は、前記取付部の前記アクセサリーシューへの差込方向の後方から見て、前記取付部の辺の左端から伸設されている
請求項６記載の把持部材。
【請求項８】
前記取付部は、前記アクセサリーシューからの脱落を抑制するロック機構を有する
請求項６記載の把持部材。
【請求項９】
前記本体は、
前記延長部が前記第１位置にある場合に開放され、前記延長部が前記第２位置にある場合に前記延長部に隠される第１の操作部と、
前記延長部が第２位置にある場合に開放され、前記延長部が前記第１位置にある場合に前記延長部に隠される第２の操作部と
を有する請求項３記載の把持部材。
【請求項１０】
前記第１の操作部は、ストロボ操作ボタンを含み、
前記第２の操作部は、再生ボタンと、電子ダイヤルとを含む
請求項９記載の把持部材。
【請求項１１】
前記延長部を前記第１位置に保持する規制部を備え、
前記規制部は、前記連結部および前記延長部の一方に設けられた凸部と、前記連結部および前記延長部の他方に設けられた凹部とを有し、前記延長部が前記第１位置にある場合に前記凸部が前記凹部に嵌まり込む
請求項３記載の把持部材。
【請求項１２】
前記延長部は、可動側先端に指かけ部を有し、
前記指かけ部は、前記延長部が前記第１位置にある場合に、前記本体の前記取付部が取り付けられる面上の特定位置よりも前記連結部寄りに位置する
請求項３記載の把持部材。
【請求項１３】
前記取付部は、前記本体の上面に取り付けられ、
前記特定位置はシャッターボタンである
請求項１２記載の把持部材。
【請求項１４】
前記指かけ部は、前記延長部が前記第２位置にある場合に、前記本体の外形に合う湾曲形状を有する
請求項１２記載の把持部材。
【請求項１５】
前記指かけ部に滑り止め部が設けられている
請求項１２記載の把持部材。
【請求項１６】
本体と、
前記本体の上面に取り付けられると共に、前記本体に対して変位可能な延長部を有する把持部材と
を備えた撮像装置。
【請求項１７】
前記本体は、背面に表示部を有し、
前記延長部の変位する範囲は、前記本体の背面において前記表示部よりも上方にある
請求項１６記載の撮像装置。
【請求項１８】
前記把持部材は、
前記本体への取付部と、
前記取付部と前記延長部とを繋ぐ連結部と
を備えた請求項１６記載の撮像装置。
【発明の詳細な説明】
【技術分野】
【０００１】
本開示は、小型カメラ等の撮像装置に好適な把持部材、およびこの把持部材を備えた撮像装置に関する。
【背景技術】
【０００２】
小型カメラ等の撮像装置では、先端がカーブした「へら」状の付属部品を本体に装着し、この付属部品に親指をかけることで握りやすさを高めたものがある（例えば、非特許文献１参照。）。
【先行技術文献】
【非特許文献】
【０００３】
【非特許文献１】「親指でデジカメのホールド感を向上させるアイテム」、［online］、平成２３年（２０１１年）１０月１７日、ｅｘｃｉｔｅニュース、［平成２４年８月２１日検索］、インターネット＜ＵＲＬ：http://www.excite.co.jp/News/bit/E1318411438584.html＞
【発明の概要】
【発明が解決しようとする課題】
【０００４】
しかしながら、このような付属部品は、親指を置くための部分が固定されており、本体の操作を阻害する場合があった。
【０００５】
本開示はかかる問題点に鑑みてなされたもので、その目的は、本体の操作を阻害することなく本体の握りやすさを高めることが可能な把持部材、およびこの把持部材を備えた撮像装置を提供することにある。
【課題を解決するための手段】
【０００６】
本開示による把持部材は、本体への取付部と、本体に対して変位可能な延長部と、取付部と延長部とを繋ぐ連結部とを備えたものである。
【０００７】
本開示の把持部材では、本体の側面に掌を当て、延長部に親指をかけることにより、本体を握持しやすくなる。必要に応じて延長部を変位させることにより、延長部が本体の操作を阻害するおそれが小さくなる。
【０００８】
本開示による撮像装置は、本体と、本体の上面に取り付けられると共に、本体に対して変位可能な延長部を有する把持部材とを備えたものである。
【０００９】
本開示の撮像装置では、上記本開示の把持部材により本体の握持が補助されると共に、本体により撮像等の所望の動作がなされる。
【発明の効果】
【００１０】
本開示の把持部材、または本開示の撮像装置によれば、延長部を本体に対して変位可能としたので、本体の操作を阻害することなく本体の握りやすさを高めることが可能となる。
【図面の簡単な説明】
【００１１】
【図１】本開示の一実施の形態に係る撮像装置の構成を表す斜視図である。
【図２】図１に示した把持部材を拡大して表す斜視図である。
【図３】図１に示した延長部の変位を表す斜視図である。
【図４】図１に示した延長部を第２位置まで回動させた状態を表す斜視図である。
【図５】図１に示した把持部材を裏返して見た構成を表す斜視図である。
【図６】図３に示した把持部材のロック機構の作動状態を表す斜視図である。
【図７】図６に示した作動状態を表す断面図である。
【図８】図６に示したロック機構の解除状態を表す斜視図である。
【図９】図８に示した解除状態を表す断面図である。
【図１０】撮像時の動作を説明するための斜視図である。
【図１１】非撮像時の動作を説明するための斜視図である。
【図１２】撮像途中に再生やモード設定を行いたい場合の動作を説明するための斜視図である。
【図１３】撮像装置を背面側から見た第１の斜視図である。
【図１４】撮像装置を背面側から見た第２の斜視図である。
【図１５】撮像装置の背面図である。
【図１６】撮像装置の平面図である。
【発明を実施するための形態】
【００１２】
以下、本開示の実施の形態について図面を参照して詳細に説明する。
【００１３】
図１は、本開示の一実施の形態に係る撮像装置の構成を表したものである。この撮像装置１は、例えば、コンパクトデジタルカメラ等の小型の撮像装置であり、略直方体形状の本体２を有している。
【００１４】
以下の説明および図面では、撮像装置１による撮影時において撮影者から見た方向で前後（Ｚ）、上下（Ｙ）および左右（Ｘ）の方向を示すものとする。従って、被写体側が前方となり、撮影者側が後方となる。なお、前後（Ｚ）、上下（Ｙ）および左右（Ｘ）の方向は説明の便宜上のものであり、本開示の実施に関しては、これらの方向に限定されることはない。
【００１５】
本体２は、板状であり、握る部分（右側部）が膨らんでいないか、または膨らみが小さい。本体２の前面２Ａおよび背面２Ｂは、いずれも平坦、または実質的に平坦である。本体２の側面２Ｃの縦辺における角には、湾曲面２Ｄが設けられている。なお、湾曲面２Ｄは必ずしも設けられていなくてもよい。
【００１６】
本体２の前面２Ａには、レンズ筒３が取り付けられている。レンズ筒３内部には、被写体像を結像する撮影レンズ（図示せず）と、撮像光学系としてのレンズまたはレンズ群（図示せず）と、撮像素子（図示せず）とが光軸に沿って配置されている。撮像素子は、例えばＣＣＤ（Charge Coupled Device）イメージセンサまたはＣＭＯＳ（Complementary Metal Oxide Semiconductor）イメージセンサにより構成されている。
【００１７】
本体２の背面２Ｂには、表示部４が配置されている。表示部４は、例えば、液晶または有機ＥＬ（Electroluminescence）などの表示ユニットである。
【００１８】
本体２の上面２Ｅには、例えば、アクセサリーシュー５およびシャッターボタン６が設けられている。アクセサリーシュー５は、本体２の上面２Ｅの中央やや左寄りに配置されている。シャッターボタン６は、本体２の上面２Ｅの前方右寄りに配置されている。シャッターボタン６の外周には電源摘子７が設けられている。
【００１９】
アクセサリーシュー５は、例えば、端子（図示せず）を有する通電可能なホットシューであり、外付けストロボ装置やＥＶＦ（電子ビューファインダー）など通電を必要とする外付け部材を接続可能となっている。ただし、アクセサリーシュー５は、端子を有しない非通電のコールドシューとすることも可能である。
【００２０】
また、アクセサリーシュー５には、把持部材１０が装着されている。この把持部材１０は、撮像装置１の本体２に装着されて本体２の握持を補助する付属部品（アクセサリー）であり、本体２の背面２Ｂ側に、親指をかけるための部分として延長部４０を有している。延長部４０は、本体２に対して変位可能である。これにより、この把持部材１０では、本体２の操作を阻害することなく本体２の握りやすさを高めることが可能となっている。
【００２１】
把持部材１０は、例えば図２に拡大して示したように、取付部２０と、連結部３０とを有している。取付部２０は、本体２に取り付けられる部分である。連結部３０は、取付部２０と延長部４０とを繋ぐ部分であり、取付部２０に固定されている。延長部４０は、連結部３０に対して変位可能であることにより、上述したように本体２に対して変位可能となっている。
【００２２】
図３および図４は、延長部４０の変位を表したものである。延長部４０は、連結部３０を軸Ａ１として図３の矢印Ｒで示したように回動可能であることが好ましい。延長部４０を軸Ａ１の周りでＸＺ面内方向に回動させることにより、延長部４０の位置や長さを調整して固定する機構などは不要となり、連結部３０の構成を単純にすることが可能となる。また、延長部４０の位置が撮影中に左右にずれて撮影に支障をきたすおそれが小さくなり、快適な撮像が可能となる。
【００２３】
具体的には、図３に示したように、連結部３０は、取付部２０の辺２１の一端２１Ａから取付部２０に対して交差（例えば直交）する方向に伸設されている。つまり、取付部２０を含む平面をＸＺ平面とすると、延長部４０の回動の軸Ａ１（連結部３０）は上下方向（Ｙ方向）である。延長部４０は、取付部２０の辺２１に重なる第１位置Ｐ１と、取付部２０の辺２１の延長線２１Ｂに重なる第２位置Ｐ２との間で、連結部３０を軸Ａ１として回動可能となっている。
【００２４】
第１位置Ｐ１は、延長部４０の可動側先端の指かけ部４１に親指をかけられるようにすることで本体２を握りやすくする位置である。指かけ部４１は、親指を保持しやすくするため、Ｚ方向後方に突出する湾曲形状を有していることが望ましい。
【００２５】
一方、第２位置Ｐ２は、第１位置Ｐ１にある延長部４０によって隠されていた本体２上の操作ボタン等を開放し、容易に操作可能とする位置である。また、後述するように、延長部４０は、第２位置Ｐ２にある場合に本体２の外形（すなわち湾曲面２Ｄ）に合う湾曲形状を有し、把持部材１０を装着したままで撮像装置１をケース（図示せず）等に収納することが可能であり、把持部材１０を取り外して紛失してしまうおそれが小さくなっている。更に、後述する取付部２０のアクセサリーシュー２３にビューファインダー（図示せず）を装着し、眼鏡をかけた使用者がそのビューファインダーを覗く場合には、延長部４０を第２位置Ｐ２に退避させることにより、湾曲した指かけ部４１が撮像の邪魔にならないようにすることが可能となる。
【００２６】
延長部４０の変位する範囲（回動範囲）は、第１位置Ｐ１および第２位置Ｐ２も含めて、図１および図４に示したように、本体２の背面２Ｂの表示部４の上方にあることが好ましい。これにより、延長部４０の回動による延長部４０と表示部４との干渉を最小限に抑えることが可能となる。また、後述する取付部２０のアクセサリーシュー２３にビューファインダー（図示せず）が装着されている場合に、延長部４０の回動による延長部４０とビューファインダーとの干渉も最小限に抑えることが可能となる。
【００２７】
また、本体２では、延長部４０の回動位置に関連づけて操作ボタン等が配置されていることが好ましい。すなわち、本体２は、図１および図４に示したように、背面２Ｂの表示部４の上方に、第１の操作部８と、第２の操作部９とを有している。第１の操作部８は、主に撮像時に使用されるものであり、延長部４０が第１位置Ｐ１にある場合に開放され、延長部４０が第２位置Ｐ２にある場合に隠される。第２の操作部９は、主に非撮像時（再生時など）に使用されるものであり、延長部４０が第２位置Ｐ２にある場合に開放され、延長部４０が第１位置Ｐ１にある場合に隠される。これにより、延長部４０の回動位置に応じて適切な操作ボタンを開放し、使用者の利便性を更に向上させることが可能となる。また、デバイスの進化による本体２の小型化に加えて、複雑化する操作系に比例したボタンの増加により、延長部４０の下にも操作ボタン等を配置する必要性が生じる可能性があり、そのような場合に把持部材１０は極めて好適である。
【００２８】
具体的には、第１の操作部８は、例えば、ストロボ操作ボタン８Ａを含む。ストロボ操作ボタン８Ａは、本体２に内蔵されているストロボ装置（図示せず）を本体２の上面２Ｅからポップアップさせるものである。
【００２９】
第２の操作部９は、例えば、再生ボタン９Ａと、電子ダイヤル９Ｂとを含む。再生ボタン９Ａは、レンズ筒３の撮像レンズ（図示せず）により結像された被写体像または撮像素子（図示せず）により撮像された画像を表示部４に表示させるものである。電子ダイヤル９Ｂは、使用者がシャッタースピードや露出補正（ＥＶ値）などを指定・選択する等、多種多様な機能を有している。
【００３０】
以下、把持部材１０の取付部２０，連結部３０および延長部４０の更に詳細な構成について説明する。
【００３１】
取付部２０は、図１に示したように、本体２の上面２Ｅに取り付けられていることが好ましい。具体的には、取付部２０は、上述したように、アクセサリーシュー５に差し込まれることにより本体２の上面２Ｅに取り付けられていることが好ましい。延長部４０にかかる親指の力は相当に強いので、取付部２０を本体２の他の場所（背面２Ｂや側面２Ｃなど）にヒンジ（蝶番）等で取り付けた場合には、延長部４０にかかる親指の力を支えきれないおそれがあるからである。特に、アクセサリーシュー５は、例えば落下や衝撃によっても外付け大型ストロボ装置が脱落しない程度の強度を有しており、延長部４０にかかる親指の力を十分に支えることが可能である。
【００３２】
取付部２０は、本体２に対して着脱可能であることが望ましいが、本体２に固定または一体化され、取り外し不可となっていることも可能である。
【００３３】
取付部２０は、例えば図２に示したように、接続部２２と、アクセサリーシュー２３とを有している。接続部２２は、本体２側のアクセサリーシュー５に差し込まれる部分である。アクセサリーシュー２３は、本体２側のアクセサリーシュー５の代替・補完のため接続部２２の上面に設けられている。アクセサリーシュー２３は、例えばコールドシューであり、ＯＶＦ（Optical View Finder；光学式ファインダー）などの通電を必要としない外付け部材を接続可能である。ただし、アクセサリーシュー２３は、本体２側のアクセサリーシュー５と同様にホットシューとすることも可能である。
【００３４】
連結部３０は、本体２の背面２Ｂ側において、取付部２０の辺２１の一端２１Ａから下方に垂設されると共に、延長部４０の一端（軸側先端）を上下方向（Ｙ方向）に貫通し、延長部４０の回動の軸Ａ１としての機能を有している。延長部４０の他端（可動側先端）は、上述した指かけ部４１となっている。
【００３５】
延長部４０の長さ（指かけ部４１の位置Ｐ４）は、例えば、以下のような要件を満たしていることが望ましい。
【００３６】
第１に、指かけ部４１は、延長部４０が第１位置Ｐ１にある場合に、本体２の取付部２０が取り付けられる面（すなわち上面２Ｅ）上の特定位置Ｐ３（例えば、シャッターボタン６）よりも連結部３０寄り（図１の矢印Ａ２参照。）に位置することが好ましい。その理由は以下の通りである。本体２を握った時の親指の理想的な位置はシャッターボタン６の真後ろであるが、実際には、この理想的な位置よりも親指を深く（中央寄りに）かけるほうが心地よさや安心感が生じる。そのため、指かけ部４１は、延長部４０が第１位置Ｐ１にある場合に、本体２の上面２Ｅの特定位置Ｐ３（シャッターボタン６）よりも連結部３０寄りに位置することが好ましい。
【００３７】
第２に、指かけ部４１は、親指をかけた際に表示部４に親指がかからない位置であることが好ましい。親指（または親指の影）が表示領域にかかり、表示部４を視認しづらく、撮影に障害を生じるおそれがあるからである。ただし、表示部４の額縁の黒色領域であれば、親指がかかっても大きな支障はない。表示部４の黒色領域よりも内側の領域（表示領域）には親指がかからないことが望ましい。
【００３８】
第３に、指かけ部４１は、図４に示したように、延長部４０が第２位置Ｐ２にある場合に、本体２の外形（すなわち湾曲面２Ｄ）に合う湾曲形状を有することが好ましい。これにより、把持部材１０を装着したままで撮像装置１をケース（図示せず）等に収納することが可能となる。よって、撮像装置１をケースに収納する際に、把持部材１０を取り外して紛失してしまうおそれが小さくなる。
【００３９】
指かけ部４１には、図２に示したように、滑り止め部４２が設けられていることが好ましい。指かけ部４１に確実に親指をかけることができ、本体２を安定して握持することが可能となる。また、延長部４０を第２位置Ｐ２に回動させる際に、滑り止め部４２が本体２に最初に接触し、本体２の塗装剥がれや傷つき等を抑えることが可能となる。滑り止め部４２の材料としては、ゴム，エラストマ等の樹脂、クッション材、皮革等が挙げられる。また、滑り止め部４２は、指かけ部４１の表面を荒らす等の表面加工処理を施したものであってもよい。
【００４０】
連結部３０は、図２および図３に示したように、取付部２０のアクセサリーシュー５への差込方向Ａ３の後方から見て、取付部２０の辺２１の左端２１Ａから伸設されていることが好ましい。これにより、指かけ部４１の位置が上述した第１ないし第３の要件を満たすようにすることが可能となる。更に、延長部４０が第１位置Ｐ１にある場合に、延長部４０が取付部２０の辺２１に重なることになり、延長部４０を押さえる親指の強い力を確実に支えることが可能となる。
【００４１】
図５は、図１に示した把持部材１０を裏返して見た構成を表したものである。把持部材１０は、延長部４０を第１位置Ｐ１に保持する規制部５０を備えている。規制部５０は、例えば、連結部３０に設けられた凸部５１と、延長部４０に設けられた凹部５２とを有し、延長部４０が第１位置Ｐ１にある場合に凸部５１が凹部５２に嵌まり込むようになっている。これにより、延長部４０が第１位置Ｐ１を超えて回動し、本体２上の操作ボタン等を意図せず押してしまったり、本体２の塗装剥がれや傷つきなどを生じさせたりすることが回避される。また、延長部４０が第１位置Ｐ１にある場合に、延長部４０の上下方向および左右方向、とりわけ上下方向のがたつきを抑えることが可能となる。
【００４２】
なお、図５では、規制部５０において、凸部５１が連結部３０に設けられ、凹部５２が延長部４０に設けられている場合を表しているが、凸部５１が延長部４０に設けられ、凹部５２が連結部３０に設けられていることも可能である。また、延長部４０が第２位置Ｐ２にある場合には、本体２の側面２Ｃおよび湾曲面２Ｄが、延長部４０を第２位置Ｐ２に保持する規制部としての機能を有することが可能である。
【００４３】
取付部２０は、アクセサリーシュー５からの脱落を抑制するロック機構を有することが好ましい。このロック機構６０は、例えば図６に示したように、二つの突起６１と、この二つの突起６１を動かすレバー６２とを有している。二つの突起６１は、接続部２２の底面２２Ａの穴２２Ｂ内に設けられている。一方、本体２のアクセサリーシュー５の底面５Ａには、二つの突起６１に対向する位置に穴５Ｂが設けられている。
【００４４】
二つの突起６１は、作動位置Ｐ５（図６および図７参照。）と、解除位置Ｐ６（図８および図９参照。）との間で上下方向（Ｙ方向）に往復移動可能である。作動位置Ｐ５では、二つの突起６１は、接続部２２の底面２２Ａの穴２２Ｂから突出し、アクセサリーシュー５の底面５Ａの穴５Ｂに掛止する。解除位置Ｐ６では、二つの突起６１は、底部２２Ａの穴２２Ｂ内に収納される。レバー６２は、例えば、取付部２０の辺２１に沿って左右方向（Ｘ方向）に往復移動可能であり、作動位置Ｐ５では連結部３０に接し、解除位置Ｐ６では連結部３０から離れている。
【００４５】
以下、図１０ないし図１２を参照して、この撮像装置１の動作・作用について説明する。
【００４６】
まず、把持部材１０の取付部２０を、本体２の上面２Ｅのアクセサリーシュー５に取り付ける。その際、ロック機構６０の突起６１を図８および図９に示した解除位置Ｐ６として接続部２２をアクセサリーシュー５に差し込む。そののち、レバー６２を操作して突起６１を図６および図７に示した作動位置Ｐ５とし、二つの突起６１をアクセサリーシュー５の底面５Ａの穴５Ｂに掛止させ、把持部材１０のアクセサリーシュー５からの脱落を抑制する。
【００４７】
撮像時には、例えば図１０に示したように、延長部４０を第１位置Ｐ１におき、本体２の側面２Ｃに掌を当て、指かけ部４１に親指をかける。これにより、本体２を握持しやすくなり、本体２の落下等の不安感を持たずに快適な撮像が可能となる。
【００４８】
本体２に把持部材１０を装着すると、本体２上の操作ボタン等の一部（第１の操作部８または第２の操作部９）が延長部４０で隠される。具体的には、図１０に示したように、延長部４０が第１位置Ｐ１にある場合には、第１の操作部８（ストロボ操作ボタン８Ａ）は開放されており、容易に操作可能であるが、第２の操作部９（再生ボタン９Ａおよび電子ダイヤル９Ｂ）は隠されている。
【００４９】
ここでは、延長部４０を本体２（連結部３０）に対して変位可能としたので、必要に応じて延長部４０を変位させることにより、延長部４０で隠されていた本体２上の操作ボタン等が開放され、容易に操作可能となる。具体的には、例えば図１１に示したように、延長部４０を第２位置Ｐ２に回動させることにより、第１の操作部８（ストロボ操作ボタン８Ａ）は隠されるが、第２の操作部９（再生ボタン９Ａおよび電子ダイヤル９Ｂ）は開放され、容易に操作可能となる。よって、把持部材１０を装着したままで第１の操作部８と第２の操作部９とを切り替えて開放することが可能となり、把持部材１０をいちいち取り外す煩わしさが解消される。
【００５０】
また、延長部４０は、例えば図１２に示したように、指かけ部４１と本体２との間に親指を差し込むと、親指が入るだけの狭角度で回動を停止するようになっている。このような延長部４０の狭角度での回動停止は、例えば連結部３０内部のカム（図示せず）の形状により調整することが可能である。従って、撮像途中に再生や設定変更などを行いたい場合には、延長部４０を完全に第２位置Ｐ２まで回動させる必要はなく、指かけ部４１と本体２との間の隙間に親指を差し込むだけでよい。また、その際、指かけ部４１の湾曲形状は、指かけ部４１と本体２との間の隙間に親指を差し込みやすくするガイド機能も有することが可能である。そののち、再び指かけ部４１に親指をかけることにより、直ちに延長部４０を第１位置Ｐ１に戻して撮影を再開することが可能である。
【００５１】
撮影終了後は、延長部４０を第２位置Ｐ２に回動させることにより、延長部４０を本体２の外形（すなわち湾曲面２Ｄ）に添わせ、把持部材１０を装着したままで撮像装置１をケース（図示せず）等に収納することが可能となる。よって、撮像装置１をケースに収納する際に、把持部材１０を取り外す面倒がなくなり、紛失のおそれも小さくなる。
【００５２】
このように本実施の形態の把持部材１０では、延長部４０を本体２に対して変位可能としたので、本体２の操作を阻害することなく本体２の握りやすさを高めることが可能となる。よって、この把持部材１０を本体２に装着して撮像装置１を構成すれば、本体２の握持性・携帯性と操作性とを両立し、使用者の利便性の向上が可能となる。
【００５３】
特に、小型の本体２では、握る部分の隆起とレンズ筒３との間のスペースが狭く、指を入れるのが難しい。また、板状の本体２では、握る部分が膨らんでいないので持ちにくい。このように小型または板状の本体２を有する撮像装置１は、握りやすさの点で未だ改善の余地があり、把持部材１０を好適に適用可能である。また、デバイスの進化による本体２の小型化に加えて、複雑化する操作系に比例したボタンの増加（ボタンの配置密度増大）という観点からも、把持部材１０は高い有効性を発揮する。
【００５４】
図１３ないし図１６は、上記実施の形態に係る撮像装置の外観の一例を表したものである。図１３はこの撮像装置を背面側から見た第１の斜視図である。図１４はこの撮像装置を背面側から見た第２の斜視図である。図１５は背面図、図１６は平面図である。
【００５５】
以上、実施の形態を挙げて本開示を説明したが、本開示は上記実施の形態に限定されるものではなく、種々の変形が可能である。例えば、上記実施の形態では、延長部４０を、連結部３０を軸Ａ１として回動可能とした場合について説明したが、延長部４０の変位方式としては、回動のほか、左右方向への伸縮または往復移動、上下方向への往復移動なども考えられる。
【００５６】
また、例えば、上記実施の形態では、連結部３０は、図２および図３に示したように、取付部２０のアクセサリーシュー５への差込方向Ａ３の後方から見て、取付部２０の辺２１の左端２１Ａから伸設されている場合について説明した。しかしながら、連結部３０は、連結部３０は、取付部２０のアクセサリーシュー５への差込方向Ａ３の後方から見て、取付部２０の辺２１の右端から伸設されていることも可能である。
【００５７】
更に、例えば、上記実施の形態では、取付部２０を含む平面をＸＺ平面とすると、連結部３０（軸Ａ１）は上下方向（Ｙ方向）であり、延長部４０は左右に（ＸＺ面内方向に）回動する場合について説明した。しかしながら、連結部３０（軸Ａ１）は、取付部２０の辺２１に沿って左右方向（Ｘ方向）に設けられ、延長部４０は上下に（ＹＺ面内方向に）回動することも可能である。
【００５８】
加えて、例えば、上記実施の形態では、指かけ部４１が湾曲形状を有している場合について説明したが、指かけ部４１が平坦部であり、もっぱら滑り止め部４２により親指を保持するようにすることも可能である。
【００５９】
更にまた、例えば、上記実施の形態では、特定位置Ｐ３がシャッターボタン６に一致している場合について説明したが、特定位置Ｐ３にシャッターボタン６以外の操作ボタンが設けられていてもよい。
【００６０】
加えてまた、例えば、上記実施の形態では、把持部材１０が本体２とは別部品であり、取付部２０が本体２に対して着脱可能に取り付けられる場合について説明した。しかしながら、把持部材１０は本体２に固定され、または本体２に一体化され、取り外し不可となっている構成も可能である。この場合にも、把持部材１０は、本体２の上面２Ｅに取り付けられると共に、本体２に対して変位可能な延長部４０を有し、これにより、本体２の操作を阻害することなく本体２の握りやすさを高めることが可能となっている。また、把持部材１０は、本体２に固定または一体化された取付部２０と、取付部２０と延長部４０とを繋ぐ連結部３０とを有することが可能である。
【００６１】
更にまた、例えば、上記実施の形態では、表示部４が液晶または有機ＥＬにより構成されている場合について説明したが、表示部４は、液晶または有機ＥＬのほか、プラズマ，無機ＥＬ，エレクトロデポジションもしくエレクトロクロミックなどの他の表示素子を用いたものであってもよい。
【００６２】
加えてまた、例えば、上記実施の形態では、撮像装置１の例としてコンパクトデジタルカメラ（デジタルスチルカメラ）について説明したが、本開示は、レンズ交換式カメラ，ビデオカメラなどの他の撮像装置にも適用可能である。
【００６３】
更にまた、本開示の把持部材１０は、撮像装置１の本体２（カメラ）への取付に限られず、ブラケット、スレーブユニットなど、アクセサリーシューを有する他のカメラ関連機材・周辺機材にも取付可能である。
【００６４】
なお、本技術は以下のような構成を取ることも可能である。
（１）
本体への取付部と、
前記本体に対して変位可能な延長部と、
前記取付部と前記延長部とを繋ぐ連結部と
を備えた把持部材。
（２）
前記延長部は、前記連結部を軸として回動可能である
前記（１）記載の把持部材。
（３）
前記連結部は、前記取付部の辺の一端から前記取付部に対して交差する方向に伸設され、
前記延長部は、前記取付部の辺に重なる第１位置と、前記取付部の辺の延長線に重なる第２位置との間で、前記連結部を軸として回動可能である
前記（２）記載の把持部材。
（４）
前記取付部は、前記本体の上面に取り付けられる
前記（１）ないし（３）のいずれか１項に記載の把持部材。
（５）
前記取付部は、前記本体に着脱可能に取り付けられる
前記（４）記載の把持部材。
（６）
前記本体は、上面にアクセサリーシューを有し、
前記取付部は、前記アクセサリーシューに差し込まれることにより前記本体の上面に取り付けられる
前記（４）または（５）記載の把持部材。
（７）
前記連結部は、前記取付部の前記アクセサリーシューへの差込方向の後方から見て、前記取付部の辺の左端から伸設されている
前記（６）記載の把持部材。
（８）
前記取付部は、前記アクセサリーシューからの脱落を抑制するロック機構を有する
前記（６）または（７）記載の把持部材。
（９）
前記本体は、
前記延長部が前記第１位置にある場合に開放され、前記延長部が前記第２位置にある場合に前記延長部に隠される第１の操作部と、
前記延長部が第２位置にある場合に開放され、前記延長部が前記第１位置にある場合に前記延長部に隠される第２の操作部と
を有する前記（３）ないし（８）のいずれか１項に記載の把持部材。
（１０）
前記第１の操作部は、ストロボ操作ボタンを含み、
前記第２の操作部は、再生ボタンと、電子ダイヤルとを含む
前記（９）記載の把持部材。
（１１）
前記延長部を前記第１位置に保持する規制部を備え、
前記規制部は、前記連結部および前記延長部の一方に設けられた凸部と、前記連結部および前記延長部の他方に設けられた凹部とを有し、前記延長部が前記第１位置にある場合に前記凸部が前記凹部に嵌まり込む
前記（３）ないし（１０）のいずれか１項に記載の把持部材。
（１２）
前記延長部は、可動側先端に指かけ部を有し、
前記指かけ部は、前記延長部が前記第１位置にある場合に、前記本体の前記取付部が取り付けられる面上の特定位置よりも前記連結部寄りに位置する
前記（３）ないし（１１）のいずれか１項に記載の把持部材。
（１３）
前記取付部は、前記本体の上面に取り付けられ、
前記特定位置はシャッターボタンである
前記（１２）記載の把持部材。
（１４）
前記指かけ部は、前記延長部が前記第２位置にある場合に、前記本体の外形に合う湾曲形状を有する
前記（１２）または（１３）記載の把持部材。
（１５）
前記指かけ部に滑り止め部が設けられている
前記（１２）ないし（１４）のいずれか１項に記載の把持部材。
（１６）
本体と、
前記本体の上面に取り付けられると共に、前記本体に対して変位可能な延長部を有する把持部材と
を備えた撮像装置。
（１７）
前記本体は、背面に表示部を有し、
前記延長部の変位する範囲は、前記本体の背面において前記表示部よりも上方にある
前記（１６）記載の撮像装置。
（１８）
前記把持部材は、
前記本体への取付部と、
前記取付部と前記延長部とを繋ぐ連結部と
を備えた前記（１６）または（１７）記載の撮像装置。
【符号の説明】
【００６５】
１…撮像装置、２…本体、２Ａ…前面、２Ｂ…背面、２Ｃ…側面、２Ｄ…湾曲面、２Ｅ…上面、３…レンズ筒、４…表示部、５…アクセサリーシュー、６…シャッターボタン、７…第１の操作部、７Ａ…再生ボタン、７Ｂ…モード設定ダイヤル、８…第２の操作部、８Ａ…ストロボ操作ボタン、１０…把持部材、２０…取付部、２１…辺、２１Ａ…一端（左端）、２２…接続部、２３…アクセサリーシュー、３０…連結部、４０…延長部、４１…指かけ部、４２…滑り止め部、５０…規制部、５１…凸部、５２…凹部、６０…ロック機構、６１…突起、６２…レバー、Ｐ１…第１位置、Ｐ２…第２位置、Ｐ３…特定位置、４…指かけ部の位置、Ｐ５…作動位置、Ｐ６…解除位置。
【図１】
2014052600.tif 000003
【図２】
2014052600.tif 000004
【図３】
2014052600.tif 000005
【図４】
2014052600.tif 000006
【図５】
2014052600.tif 000007
【図６】
2014052600.tif 000008
【図７】
2014052600.tif 000009
【図８】
2014052600.tif 000010
【図９】
2014052600.tif 000011
【図１０】
2014052600.tif 000012
【図１１】
2014052600.tif 000013
【図１２】
2014052600.tif 000014
【図１３】
2014052600.tif 000015
【図１４】
2014052600.tif 000016
【図１５】
2014052600.tif 000017
【図１６】
2014052600.tif 000018